(57)【要約】【課題】表示位置の変更が可能な字幕および文字スーパーを操作者に認識させやすくする。【解決手段】受信機は、放送信号を受信する受信部と、放送信号から文字情報および文字情報に関する制御情報を抽出する抽出部と、制御情報に基づいて文字情報を表示装置に表示させる文字表示制御部と、文字情報の表示位置の変更を開始させるための操作を受け付ける操作受付部と、操作受付部が操作を受け付けた場合に、文字情報の表示位置の変更が可能であることを表す図形を前記文字情報の近傍に表示させる表示制御部と、制御情報を変更することにより前記文字情報の表示位置を変更する位置変更部と、を備える。【選択図】図１
2016092769.tif 000002
【特許請求の範囲】
【請求項１】
放送信号を受信する受信部と、
前記放送信号から文字情報および前記文字情報に関する制御情報を抽出する抽出部と、
前記制御情報に基づいて前記文字情報を表示装置に表示させる文字表示制御部と、
前記文字情報の表示位置の変更を開始させるための操作を受け付ける操作受付部と、
前記操作受付部が前記操作を受け付けた場合に、前記文字情報の表示位置の変更が可能であることを表す図形を前記文字情報の近傍に表示させる表示制御部と、
前記制御情報を変更することにより前記文字情報の表示位置を変更する位置変更部と、
を備える受信機。
【請求項２】
前記表示制御部は、前記操作受付部が前記操作を受け付けた場合に、前記文字情報の文字を点滅させる、
請求項１記載の受信機。
【請求項３】
前記表示制御部は、前記操作受付部が前記操作を受け付けた場合に、前記文字情報の文字色を変化させる、
請求項１記載の受信機。
【請求項４】
前記表示制御部は、前記操作受付部が前記操作を受け付けた場合に、時間経過に応じて、複数の表示箇所において前記文字情報を択一表示させる、
請求項１記載の受信機。
【請求項５】
前記表示制御部は、前記操作受付部が前記操作を受け付けた場合に、時間経過に応じて、所定の表示範囲内において前記文字情報を移動させる、
請求項１記載の受信機。
【発明の詳細な説明】
【技術分野】
【０００１】
本発明は、受信機に関する。
【背景技術】
【０００２】
デジタル放送を受信する受信機は、映像に字幕や文字スーパー（文字情報という。）を合わせてテレビに表示させることができる。受信機は、文字情報を、例えば、映像領域の下部に重ねて表示、または、縮小した映像領域以外の領域に表示させる。しかしながら、映像領域に文字情報が重なる場合、映像によっては文字情報が目障りとなる場合がある。また、縮小した映像領域以外の領域に文字情報が表示される場合、放送映像が縮小されることが視聴者にとって好ましくない場合がある。この点に鑑みて、ユーザの操作によって文字情報の表示位置を変更する技術が知られている（例えば、特許文献１参照）。
【先行技術文献】
【特許文献】
【０００３】
【特許文献１】特開２００２−１９９３５４号公報
【発明の概要】
【発明が解決しようとする課題】
【０００４】
しかしながら、表示位置が変更可能な文字情報と、放送映像に含まれる文字との区別がつき難く、放送映像に含まれる文字を移動させようとする等の誤操作を起こすおそれがあった。
本発明は、上記事情に鑑みてなされたものであり、表示位置の変更が可能な字幕および文字スーパーの文字情報を操作者に認識させ易くする、受信機を提供することを目的とする。
【課題を解決するための手段】
【０００５】
上記の課題を解決するため、本発明の一態様である受信機は、放送信号を受信する受信部と、前記放送信号から文字情報および前記文字情報に関する制御情報を抽出する抽出部と、前記制御情報に基づいて前記文字情報を表示装置に表示させる文字表示制御部と、前記文字情報の表示位置の変更を開始させるための操作を受け付ける操作受付部と、前記操作受付部が前記操作を受け付けた場合に、前記文字情報の表示位置の変更が可能であることを表す図形を前記文字情報の近傍に表示させる表示制御部と、前記制御情報を変更することにより前記文字情報の表示位置を変更する位置変更部と、を備える。
【発明の効果】
【０００６】
表示位置の変更が可能な字幕および文字スーパーの文字情報を操作者に認識させ易くすることができる。
【図面の簡単な説明】
【０００７】
【図１】本発明の第１の実施形態である受信機の機能構成を示すブロック図である。
【図２】第１の実施形態である受信機を適用した受信システムの構成を示すブロック図である。
【図３】第１の実施形態である受信機による文字情報の表示位置の変更処理の手順の例を示すフローチャートである。
【図４】第１の実施形態において、操作受付部が文字情報の表示位置の変更を開始させるための操作を受け付けた場合のガイド表示の例を示す図である。
【図５】本発明の第２の実施形態において、操作受付部が文字情報の表示位置の変更を開始させるための操作を受け付けた場合のガイド表示の例を示す図である。
【図６】本発明の第３の実施形態において、操作受付部が文字情報の表示位置の変更を開始させるための操作を受け付けた場合のガイド表示の例を示す図である。
【図７】本発明の第６の実施形態において、操作受付部が文字情報の表示位置の変更を開始させるための操作を受け付けた場合のガイド表示の例を示す図である。
【図８】本発明の第７の実施形態において、操作受付部が文字情報の表示位置の変更を開始させるための操作を受け付けた場合のガイド表示の例を示す図である。
【発明を実施するための形態】
【０００８】
以下、本発明を実施するための形態について、図面を参照して詳細に説明する。
［第１の実施形態］
図１は、本発明の第１の実施形態である受信機の機能構成を示すブロック図である。図１に示すように、受信機１０は、受信部３１０と、抽出部３２０と、音声デコーダ出力部３３０と、映像デコーダ出力部３４０と、制御部３５０と、操作受付部３６０とを備える。
【０００９】
受信部３１０は、デジタル放送の放送信号を受信し、放送信号を抽出部３２０に供給する。例えば、デジタル放送は、デジタルテレビ放送やデータ放送である。
抽出部３２０は、受信部３１０が供給する放送信号を取り込み、この放送信号を音声情報（オーディオデータ）と、映像情報（ビデオデータ）と、制御情報とに分離する。制御情報には、字幕および字幕スーパーの文字情報、ならびにこれら文字情報に関する制御情報が含まれている。字幕とは、テレビジョン放送の映像と同時に提示する文字表示を中心とするサービスのうち、映像の内容と関連したサービスである。それ以外の文字情報は文字スーパーである。以下の説明において、字幕および文字スーパーを文字情報と呼ぶことがある。抽出部３２０は、音声情報を音声デコーダ出力部３３０に供給し、映像情報を映像デコーダ出力部３４０に供給し、制御情報を制御部３５０に供給する。また、抽出部３２０は、放送信号からセクションデータを抽出し、このセクションデータを制御部３５０に供給する。セクションデータには、例えば、イベントメッセージが含まれている。なお、このセクションデータに、文字情報および文字情報に関する制御情報が含まれてもよい。
【００１０】
音声デコーダ出力部３３０は、抽出部３２０が供給する音声情報を取り込み、制御部３５０からの制御に基づいて音声信号を出力する。この音声信号は、例えば、図示しないスピーカにより音声出力される。
映像デコーダ出力部３４０は、抽出部３２０が供給する映像情報を取り込み、制御部３５０からの制御に基づいて映像信号を出力する。また、映像デコーダ出力部３４０は、制御部３５０が供給する文字情報を取り込み、この文字情報を映像情報とともに出力する。この映像信号（文字情報が合わされる場合も含む。）は、図示しない表示装置に入力されて第１の画面に映像出力される。この第１の画面は、表示装置の表示面の全面であってもよいし、一部部分の矩形領域画面であってもよい。
【００１１】
制御部３５０は、抽出部３２０が供給する制御情報を取り込み、この制御情報に基づいて音声デコーダ出力部３３０および映像デコーダ出力部３４０を制御する。また、制御部３５０は、この制御情報から字幕および字幕スーパーの文字情報および文字情報に関する制御情報を抽出する。字幕および文字スーパーの記述言語は、例えば、ＡＲＩＢ−ＴＴＭＬである。また、ＡＲＩＢ−ＴＴＭＬ文書の文字符号化方式は、例えば、ＩＳＯ／ＩＥＣ  １０６４６：２０１２で規定されたＵＴＦ−８である。文字情報に関する制御情報には、例えば、arib-tt:keyframes要素が含まれる。このarib-tt:keyframes要素は、文字情報のアニメーションの動作を定義するための要素である。arib-tt:keyframes要素は、例えば、tts:backgraoundColor、tts:color、tts:extent、tts:fontSize、tts:opacity、tts:originを含む。tts:backgraoundColorは、キーフレームにおいて文字の背景色を指定する情報である。tts:colorは、キーフレームにおいて文字色を指定する情報である。tts:extentは、キーフレームにおいて、要素の領域の幅と高さとを指定する情報である。tts:fontSizeは、キーフレームにおいて、文字のフォントサイズを指定する情報である。tts:opacityは、キーフレームにおいて、文字の半透明合成時のアルファ値（混合値）を指定する情報である。tts:originは、キーフレームにおいて、文字の位置を指定する情報である。制御部３５０は、文字情報に関する制御情報に基づいて、文字情報を映像デコーダ出力部３４０に供給する。
【００１２】
操作受付部３６０は、文字情報の表示位置の変更を開始させるための操作（トリガー操作）や文字情報を移動させるための操作（移動操作）を受け付ける。例えば、操作受付部３６０は、受信機１０を操作可能なリモコン装置である。なお、表示装置がタッチパネル付表示装置である場合は、操作受付部３６０は、タッチパネルであってもよい。
【００１３】
制御部３５０は、文字表示制御部３５１と、表示制御部３５２と、位置変更部３５３とを含む。
【００１４】
文字表示制御部３５１は、文字情報の制御情報に基づいて文字情報を表示装置の第１の画面、または第１の画面を除く第２の画面に表示させる。
表示制御部３５２は、操作受付部３６０が文字情報の表示位置の変更を開始させるための操作を受け付けた場合に、文字情報の表示位置の変更が可能であることを表す図形を文字情報の近傍に表示させる。例えば、この図形は、矢印記号を表す図形である。図形の表示例については、後述する。
位置変更部３５３は、操作受付部３６０の移動操作に応じて、文字情報に関する制御情報のうち、例えば、arib-tt:keyframes要素のtts:extentおよびtts:originを変更することによって文字情報の表示位置を変更する。
【００１５】
図２は、受信機１０を適用した受信システムの構成を示すブロック図である。図２に示すように、受信システム１は、受信機１０と、リモコン装置１１と、表示装置２０と、ネットワーク３０と、サーバ４０とを含む。受信機１０とサーバ４０とは、ネットワーク３０を介して通信可能に接続されている。表示装置２０は受信機１０に接続されている。リモコン装置１１は、受信機１０を操作するための操作受付部である。なお、図２の受信機１０の構成は図１のものと等価であるが、両者は機能面・ハードウェア面での見方を変えたブロックで示してある。
【００１６】
図２において、受信機１０は、ＣＰＵ（Ｃｅｎｔｒａｌ  Ｐｒｏｃｅｓｓｉｎｇ  Ｕｎｉｔ）１１０と、プログラムＲＯＭ（Ｒｅａｄ  Ｏｎｌｙ  Ｍｅｍｏｒｙ）１２０と、フラッシュＲＯＭ１３０と、チューナ１４０と、ＤＭＵＸ（Ｄｅｍｕｌｔｉｐｌｅｘｅｒ；分離部）１５０と、音声デコーダ１６０と、音声出力部１７０と、映像デコーダ１８０と、ＶＲＡＭ（Ｖｉｄｅｏ  Ｒａｎｄｏｍ  Ａｃｃｅｓｓ  Ｍｅｍｏｒｙ；ビデオＲＡＭ）１９０と、ネットワークＩ／Ｆ２００と、リモコン受信部２１０とを備える。
【００１７】
ＣＰＵ１１０は、プログラムＲＯＭ１２０に記憶されたプログラムを読み込んで実行することにより、各部を制御する。ＣＰＵ１１０は、ＤＭＵＸ１５０からセクションデータを取り込む。このセクションデータには、例えば、イベントメッセージが含まれている。また、ＣＰＵ１１０は、ＤＭＵＸ１５０から制御情報を取り込む。この制御情報には、例えば、同期情報や字幕および文字スーパーの文字情報、ならびに文字情報の制御情報が含まれている。ＣＰＵ１１０は、プログラムを実行することによって、制御部３５０、具体的には、文字表示制御部３５１、表示制御部３５２、および位置変更部３５３の機能を実現する。
【００１８】
プログラムＲＯＭ１２０は、ＣＰＵ１１０が実行するプログラムを記憶する。例えば、プログラムＲＯＭ１２０は、サーバ４０からネットワークＩ／Ｆ２００を介して供給されたプログラムで更新するようにしてもよい。
【００１９】
フラッシュＲＯＭ１３０は、再書き込み可能なＲＯＭである。例えば、フラッシュＲＯＭ１３０は、上記の矢印記号を表す図形情報を記憶する。
【００２０】
チューナ１４０は、例えば、デジタル放送の放送信号を受信し、放送信号から所望のチャンネルの信号を復調し、この復調信号をＤＭＵＸ１５０に供給する。
ＤＭＵＸ１５０は、チューナ１４０が供給する復調信号を取り込むと、この復調信号からオーディオデータ、ビデオデータ、制御情報、およびセクションデータに分離する。例えば、復調信号は、ＭＰＥＧシステムによる符号化データである。この場合、ＤＭＵＸ１５０は、符号化データを、ＭＰＥＧオーディオ、ＭＰＥＧビデオ、制御情報、およびセクションデータに分離する。ＤＭＵＸ１５０は、オーディオデータを音声デコーダ１６０、ビデオデータを映像デコーダ、制御情報をＣＰＵ１１０、セクションデータをＣＰＵ１１０に供給する。
【００２１】
音声デコーダ１６０は、ＤＭＵＸ１５０が供給したオーディオデータを取り込み、オーディオデータを復号して音声信号を生成し、この音声信号を音声出力部１７０に供給する。
音声出力部１７０は、音声デコーダ１６０が供給した音声信号を取り込み、この音声信号を増幅して図示しないスピーカ等に出力する。
【００２２】
映像デコーダ１８０は、ＤＭＵＸ１５０が供給したビデオデータを取り込み、ビデオデータを復号して映像信号を生成し、この映像信号をＶＲＡＭ１９０に書き込む。
ＶＲＡＭ１９０は、映像デコーダ１８０によって映像信号を書き込むとともに、ＣＰＵ１１０によって文字情報や図形情報を書き込む。ＶＲＡＭ１９０に書き込まれた情報は、表示装置２０に供給されて表示される。
【００２３】
ネットワークＩ／Ｆ２００は、ネットワーク３０に接続されたサーバ４０と通信するためのネットワークインターフェースである。
リモコン受信部２１０は、リモコン装置１１が送信するリモコン信号を受信し、このリモコン信号をＣＰＵ１１０に供給する。
【００２４】
図１および図２によれば、受信部３１０は、チューナ１４０を含む。また、抽出部３２０は、ＤＭＵＸ１５０を含む。また、音声デコーダ出力部３３０は、音声デコーダ１６０および音声出力部１７０を含む。また、映像デコーダ出力部３４０は、映像デコーダ１８０およびＶＲＡＭ１９０を含む。また、制御部３５０は、ＣＰＵ１１０、プログラムＲＯＭ１２０、およびフラッシュＲＯＭ１３０を含む。また、操作受付部３６０は、リモコン装置１１およびリモコン受信部２１０を含む。なお、操作受付部３６０は、ネットワークＩ／Ｆ２００を含んでもよい。
【００２５】
表示装置２０は、受信機のＶＲＡＭ１９０に記憶された情報を表示する。表示装置２０は、液晶ディスプレイ装置、有機ＥＬ（Ｅｌｅｃｔｒｏ−Ｌｕｍｉｎｅｓｃｅｎｃｅ）ディスプレイ装置等により実現される。
リモコン装置１１は、受信機１０を操作するための操作受付部である。例えば、リモコン装置１１には、数字キー、矢印キー、決定キー、チャンネルキー、音量キー、予め定義付けられたファンクションキー等が設けられている。表示装置２０の視聴者がリモコン装置１１を操作することにより、受信機１０は、その操作に応じて動作する。
【００２６】
サーバ４０は、例えば、放送局が管理するサーバ装置である。例えば、サーバ４０は、受信機１０と通信することにより、文字情報を受信機１０に供給してもよい。また、サーバ４０は、番組のコンテンツデータを受信機１０に供給してもよい。例えば、このコンテンツデータは、ビデオデータおよびオーディオデータを含む。
【００２７】
次に、受信機１０の文字情報の表示位置の変更処理について説明する。
図３は、受信機１０による文字情報の表示位置の変更処理の手順の例を示すフローチャートである。
ステップＳ１において、受信機１０の受信部３１０は、放送信号を受信して復調し、復調信号を抽出部３２０に供給する。
次に、ステップＳ２において、抽出部３２０は、受信部３１０から復調信号を取り込み、この復調信号からオーディオデータとビデオデータと文字情報とを分離する。抽出部３２０は、オーディオデータを音声デコーダ出力部３３０、ビデオデータを映像デコーダ出力部３４０、文字情報および文字情報の制御情報を制御部３５０に供給する。
次に、ステップＳ３において、文字表示制御部３５１は、文字情報の制御情報（例えば、arib-tt:keyframes要素）に基づいて文字情報を映像デコーダ出力部３４０に出力する。
【００２８】
次に、ステップＳ４において、操作受付部３６０は、文字情報の表示位置の移動を開始させるためのトリガー操作（操作要求）を受け付ける（ステップＳ４：ＮＯ）。例えば、操作受付部３６０は、リモコン装置１１の所定のファンクションキーの押下を受け付ける。但し、このファンクションキーは、文字情報の表示位置の移動を開始させるための操作キーとして予め定義付けされている。操作受付部３６０が、文字情報の表示位置の変更を開始させるためのトリガー操作を受け付けた場合（ステップＳ４：ＹＥＳ）、ステップＳ５において、表示制御部３５２は、表示制御処理を実行する。この表示制御処理の詳細については、後述する。
【００２９】
次に、ステップＳ６において、操作受付部３６０の移動操作に応じて、位置変更部３５３は、制御情報を変更することにより文字情報の表示位置を変更する。具体的に、例えば、リモコン装置１１の矢印キーが操作されることにより、この操作に応じて位置変更部３５３は、制御情報（例えば、arib-tt:keyframes要素のtts:extentおよびtts:origin）を変更する。そして、制御部３５０は、本フローチャートの処理を終了させる。
【００３０】
次に、表示制御部３５２が実行する表示制御処理について説明する。
具体的に、表示制御部３５２は、操作受付部３６０が文字情報の表示位置の変更を開始させるための操作を受け付けた場合に、文字情報の表示位置の変更が可能であることを表す矢印図形を文字情報の近傍に表示させる。
【００３１】
図４は、操作受付部３６０が文字情報の表示位置の変更を開始させるための操作を受け付けた場合のガイド表示の例を示す図である。図４は、表示装置２０の表示画面の例であり、この表示画面２には文字情報“明日の関東地方の天気は晴れです。”が表示されている。
【００３２】
操作受付部３６０が文字情報の表示位置の変更を開始させるための操作を受け付けた場合、図４に示すように、表示制御部３５２は、文字情報の表示位置の変更が可能であることを表す矢印図形３ａ，３ｂ，３ｃを、文字情報の周囲または近傍に表示させる。矢印図形３ａ，３ｂ，３ｃは、文字情報の移動可能な方向として示している。なお、表示制御部３５２は、文字情報の上下左右に矢印図形を表示させてもよいし、いずれかの矢印図形を表示させてもよい。また、図形は矢印に限定されず、任意のキャラクターであってもよい。
このように、文字情報の周囲または近傍に矢印図形３ａ，３ｂ，３ｃが表示されることにより、当該文字情報の表示位置を変更するための操作が可能であることを、その具体的な操作方向の指示とともにユーザに認識させることができる。
【００３３】
［第２の実施形態］
本発明の第２の実施形態において、表示制御部３５２が実行する表示制御処理について説明する。
第２の実施形態において、受信機１０の表示制御部３５２は、操作受付部３６０が文字情報の表示位置の変更を開始させるための操作を受け付けた場合に、文字情報の表示位置の変更が可能であることを表す指矢印図形を文字情報の近傍に表示させる。
【００３４】
図５は、操作受付部３６０が文字情報の表示位置の変更を開始させるための操作を受け付けた場合のガイド表示の例を示す図である。図５は、表示装置２０の表示画面の例であり、この表示画面２ａには文字情報“明日の関東地方の天気は晴れです。”が表示されている。
【００３５】
操作受付部３６０が文字情報の表示位置の変更を開始させるための操作を受け付けた場合、図５に示すように、表示制御部３５２は、文字情報の表示位置の変更が可能であることを表す指矢印図形４を文字情報の近傍に表示させる。なお、表示制御部３５２は、当該文字情報が特定可能な態様で指矢印図形４を表示させる。
このように、文字情報を特定可能に指矢印図形４が表示されることにより、当該文字情報の表示位置を変更するための操作が可能であることをユーザに認識させることができる。
［第３の実施形態］
本発明の第３の実施形態において、表示制御部３５２が実行する表示制御処理について説明する。
第３の実施形態において、受信機１０の表示制御部３５２は、操作受付部３６０が文字情報の表示位置の変更を開始させるための操作を受け付けた場合に、文字情報の表示位置の変更が可能であることを表す枠を文字情報の周囲に表示させる。
【００３６】
図６は、操作受付部３６０が文字情報の表示位置の変更を開始させるための操作を受け付けた場合のガイド表示の例を示す図である。図６は、表示装置２０の表示画面の例であり、この表示画面２ｂには文字情報“明日の関東地方の天気は晴れです。”が表示されている。
【００３７】
操作受付部３６０が文字情報の表示位置の変更を開始させるための操作を受け付けた場合、図６に示すように、表示制御部３５２は、文字情報の表示位置の変更が可能であることを表す破線の枠５を文字情報の周囲に表示させる。なお、表示制御部３５２は、実線の枠を文字情報の周囲に表示させてもよい。
このように、文字情報を特定可能に枠５が表示されることにより、当該文字情報の表示位置を変更するための操作が可能であることをユーザに認識させることができる。
［第４の実施形態］
本発明の第４の実施形態において、表示制御部３５２が実行する表示制御処理について説明する。
第４の実施形態において、受信機１０の表示制御部３５２は、操作受付部３６０が文字情報の表示位置の変更を開始させるための操作を受け付けた場合に、文字情報の制御情報に基づいて、文字情報の文字を点滅表示させる。文字情報の文字の点滅とは、文字情報を一定時間（例えば、０．５秒間）表示させたのち、一定時間（例えば、０．５秒間）非表示とし、これら表示と非表示とを繰り返す文字属性である。なお、表示制御部３５２は、文字の点滅の他、文字情報の文字にアンダーライン、オーバーライン、または取り消し線を設けてもよい。また、表示制御部３５２は、文字情報の文字に縁取りをしたり、文字を影付き、太字、斜体、または太字斜体にしたりしてもよい。
このように、文字情報を特定可能に点滅表示させることにより、当該文字情報の表示位置を変更するための操作が可能であることをユーザに認識させることができる。
［第５の実施形態］
本発明の第５の実施形態において、表示制御部３５２が実行する表示制御処理について説明する。
第５の実施形態において、受信機１０の表示制御部３５２は、操作受付部３６０が文字情報の表示位置の変更を開始させるための操作を受け付けた場合に、文字情報の制御情報に基づいて、文字情報の文字色（例えば、arib-tt:keyframes要素のtts:color）を変化させる。なお、表示制御部３５２は、文字情報の文字色を、定期的に変化させてもよい。
このように、文字情報を特定可能に、文字色を変化させることにより、当該文字情報の表示位置を変更するための操作が可能であることをユーザに認識させることができる。
［第６の実施形態］
本発明の第６の実施形態において、表示制御部３５２が実行する表示制御処理について説明する。
第６の実施形態において、受信機１０の表示制御部３５２は、操作受付部３６０が文字情報の表示位置の変更を開始させるための操作を受け付けた場合に、文字情報の制御情報（例えば、arib-tt:keyframes要素のtts:extentおよびtts:origin）に基づいて、時間経過に応じて、複数の表示箇所において文字情報を択一表示させる。
図７は、操作受付部３６０が文字情報の表示位置の変更を開始させるための操作を受け付けた場合のガイド表示の例を示す図である。図７は、表示制御部３５２が二つの表示箇所（画面の上下部分）において文字情報を択一表示させた場合の表示例である。すなわち、表示制御部３５２は、表示画面２ｃと表示画面２ｄとを所定時間（例えば、０．５秒間）ごとに交互に繰り返す。
このように、文字情報を特定可能に、時間経過に応じて複数個所を択一的に表示させることにより、当該文字情報の表示位置を変更するための操作が可能であることをユーザに認識させることができる。
［第７の実施形態］
本発明の第７の実施形態において、表示制御部３５２が実行する表示制御処理について説明する。
第７の実施形態において、受信機１０の表示制御部３５２は、操作受付部３６０が文字情報の表示位置の変更を開始させるための操作を受け付けた場合に、文字情報の制御情報（例えば、arib-tt:keyframes要素のtts:extentおよびtts:origin）に基づいて、時間経過に応じて、所定の表示範囲内において文字情報を移動させる。
図８は、操作受付部３６０が文字情報の表示位置の変更を開始させるための操作を受け付けた場合のガイド表示の例を示す図である。図８は、表示制御部３５２が文字情報を含む領域６の範囲内において文字情報を時間経過とともにずらして表示させる例である。より具体的に、例えば、表示制御部３５２は、文字情報の開始位置を領域６内において円を描くように変化させたり、文字情報の開始位置を領域６内においてランダムに指定したりする。
このように、文字情報を特定可能に、移動表示させることにより、当該文字情報の表示位置を変更するための操作が可能であることをユーザに認識させることができる。
【００３８】
以上、詳述したとおり、第１の実施形態から第３の実施形態の受信機１０は、放送信号を受信する受信部３１０と、放送信号から文字情報および文字情報に関する制御情報を抽出する抽出部３２０と、制御情報に基づいて文字情報を表示装置２０に表示させる文字表示制御部３５１と、文字情報の表示位置の変更を開始させるための操作を受け付ける操作受付部３６０と、操作受付部３６０が操作を受け付けた場合に、文字情報の表示位置の変更が可能であることを表す図形を文字情報の近傍に表示させる表示制御部３５２と、制御情報を変更することにより文字情報の表示位置を変更する位置変更部３５３と、を備える。
この構成により、操作受付部が文字情報の表示位置の変更を開始させるための操作を受け付けた場合に、文字情報の表示位置の変更が可能であることを表す図形を文字情報の近傍に表示させるので、当該文字情報の表示位置を変更するための操作が可能であることをユーザに認識させることができる。
【００３９】
また、第４の実施形態の受信機１０において、表示制御部３５２は、操作受付部３６０が操作を受け付けた場合に、文字情報の文字を点滅させてもよい。
このように、文字情報を特定可能に点滅表示させることにより、当該文字情報の表示位置を変更するための操作が可能であることをユーザに認識させることができる。
【００４０】
また、第５の実施形態の受信機１０において、表示制御部３５２は、操作受付部３６０が操作を受け付けた場合に、文字情報の文字色を変化させてもよい。
このように、文字情報を特定可能に、文字色を変化させることにより、当該文字情報の表示位置を変更するための操作が可能であることをユーザに認識させることができる。
【００４１】
また、第６の実施形態の受信機１０において、表示制御部３５２は、操作受付部３６０が操作を受け付けた場合に、時間経過に応じて、複数の表示箇所において文字情報を択一表示させてもよい。
このように、文字情報を特定可能に、時間経過に応じて複数個所を択一的に表示させることにより、当該文字情報の表示位置を変更するための操作が可能であることをユーザに認識させることができる。
【００４２】
また、第７の実施形態の受信機１０において、表示制御部３５２は、操作受付部３６０が操作を受け付けた場合に、時間経過に応じて、所定の表示範囲内において文字情報を移動させてもよい。
このように、文字情報を特定可能に、移動表示させることにより、当該文字情報の表示位置を変更するための操作が可能であることをユーザに認識させることができる。
【００４３】
以上により、実施形態によれば、表示位置の変更が可能な字幕および文字スーパーの文字情報を、操作者に認識させ易くすることができる。
【００４４】
以上、本発明の実施の形態について図面を参照して詳述したが、具体的な構成はその実施形態に限られるものではなく、本発明の要旨を逸脱しない範囲の設計等も含まれる。
【符号の説明】
【００４５】
１０…受信機、３１０…受信部、３２０…抽出部、３３０…音声デコーダ出力部、３４０…映像デコーダ出力部、３５０…制御部、３５１…文字表示制御部、３５２…表示制御部、３５３…位置変更部、３６０…操作受付部
【図１】
2016092769.tif 000003
【図２】
2016092769.tif 000004
【図３】
2016092769.tif 000005
【図４】
2016092769.tif 000006
【図５】
2016092769.tif 000007
【図６】
2016092769.tif 000008
【図７】
2016092769.tif 000009
【図８】
2016092769.tif 000010